(57)【要約】【課題】本発明の目的は、患部を押さえ過ぎないようにしながら患部に密着して動かないように固定することができる任意形態保持具及びこれ用いた担架を提供すること。【解決手段】可撓性、気密性を有する外皮とその内部全体に均一に内装され複数の区画に分割された減圧室と、減圧室間に部分的に設けた加圧室からなり、減圧室を大気圧以下に減圧して減圧室に接する物体の形態に合わせて減圧室が剛体化すると共に、加圧室を加圧して前記物体との間の空所を充填することを特徴とする任意形態保持具を用いて、両端部に把手を設けたベルトが本体部に可動自在に固定されている担架を提供する。  【選択図】  図１２
2018175318.tif 000002
【特許請求の範囲】
【請求項１】
可撓性、気密性を有する外皮とその内部全体に均一に内装され複数の区画に分割された減圧室と、減圧室間に部分的に設けた加圧室からなり、減圧室を大気圧以下に減圧して減圧室に接する物体の形態に合わせて減圧室が剛体化すると共に、加圧室を加圧して前記物体との間の空所を充填することを特徴とする任意形態保持具。  
【請求項２】
減圧室を少なくとも上下２層以上としたことを特徴とする請求項１に記載の任意形態保持具。
【請求項３】
請求項１又は２に記載の任意形態保持具を本体とし、本体を巻き付けるように身体を固定するベルトが複数本設けられた担架において、ベルトが本体に可動自在に固定されていることを特徴とする担架。
【請求項４】
ベルトの所定位置に設けられた突設片により、本体に設けられた固定片に係合されることを特徴とする請求項３に記載の担架。
【請求項５】
突設片が、ベルトの中央線を対称にベルト端部方向に向いていることを特徴とする請求項４に記載の担架。
【請求項６】
ベルトの両端部に把手を設けることを特徴とする請求項３乃至５に記載の担架。
【発明の詳細な説明】
【技術分野】
【０００１】
本発明は、主として担架やギプス等に好適に使用される、減圧、加圧によって患部に合わせて任意の形態を保持することができる形態保持具及びこれ用いた担架に関するものである。
【背景技術】
【０００２】
骨折した時に使用するギプスや重症者の患部を動かないように固定して患者を運ぶ担架等に使用するものとして、例えば、特許文献１に記載されるように、可撓性、気密性を有する袋体に粉体を収容してなり、前記袋体は、内部を真空にすることにより任意の形態に剛体化し、真空を破ることにより可撓性を回復することを特徴とする任意形態保持装置が開示されている。
【０００３】
すなわち、内部が複数の小室に区分されている可撓性、気密性を有する袋体には細かい粉体が適量ずつ収容されており、各小室は通気孔を介して隣接する小室に連通してエアが自在に流通し、真空ポンプに接続され、内部に十分なエアがあるときは任意の形状に変形でき、真空ポンプで排気して内部が真空になることによって各小室の容積が小さくなり、粉体が各小室内において移動不能に拘束され、全体として任意の形態に剛体化することができる。また、袋体にエアを流入させて元の可撓性を回復させることができる。
【０００４】
また、特許文献２は上下２層の区画に粒状物質を充填させ、真空状態で形状が固定されるようにした積層品が開示されており、上下２層にすることで、固定する患部（物体）により沿った形態で剛体化する。
【０００５】
図１にこれらの原理を利用して市販されている真空マットレスストレッチャーＡの概要図を示す。すなわち、樹脂ビーズを充填した袋体を内装したエアバッグ１上に患者２を寝かせ、真空ポンプで袋体を排気して患部に沿った形状で袋体を剛体化して患部（物体）を動かないように固定する。これによって、骨折したり脊髄損傷が疑われる患者も迅速に運ぶことができ、救助の効率を向上させることができる  。
【先行技術文献】
【特許文献】
【０００６】
【特許文献１】特開平１０−１３７３７９
【特許文献２】特許第４９３４４２４号
【発明の概要】
【発明が解決しようとする課題】
【０００７】
しかし、上記で説明したように、上下２層の区画に分けてあらゆる形態が形成可能な積層品であっても、区画内に充填した粒状物質が真空状態になって、任意の形態で剛体化される場合に、粒状物質の偏りが生じて、例えば、骨折した患部を固定するギプスに用いた場合も、隙間が空いてしっかり固定できない場合が生じる。これを模式図で表したのが図３である。例えば骨折した患部（物体）２を包む任意形態保持具１は、図示はしないが内部が複数の小室に区分されている可撓性、気密性を有する袋体であって、中には細かい粉体が適量ずつ収容されており、吸排気部３を通して真空ポンプ等で内部を排気することで、任意形態保持具１に記した矢印に示すように袋体が収縮すると共に粉体が剛体化して患部（物体）２を固定するが、粉体の偏りによって袋体が収縮し過ぎて空所Ｓが発生する。
【０００８】
一方、図２に示すように逆に空気を任意形態保持具１内に注入し膨張させることで、任意形態保持具１を患部２に密着させることができるが、患部２を局部的に押さえ過ぎて痛みを伴なったりする場合がある。本発明の目的は、患部を押さえ過ぎないようにしながら患部に密着して患部が動かないように固定することができる任意形態保持具を提供することにある。
【課題を解決するための手段】
【０００９】
上記課題を解決するために、本発明では、減圧によって任意の形態を保持できる減圧室を配置すると共に所望の位置に加圧室を設けることとした。    
【００１０】
すなわち請求項１の発明の任意形態保持具は、可撓性、気密性を有する外皮とその内部全体に均一に内装され複数の区画に分割された減圧室と、減圧室間に部分的に設けた加圧室からなり、減圧室を大気圧以下に減圧して減圧室に接する物体の形態に合わせて減圧室が剛体化すると共に、加圧室を加圧して前記物体との間の空所を充填することを特徴とする。
【００１１】
請求項２の発明では、請求項１に記載の任意形態保持具の減圧室を少なくとも上下２層以上としたことを特徴とする。
【００１２】
請求項３の発明では、請求項１又は２に記載の任意形態保持具を本体とし、本体を巻き付けるように身体を固定するベルトが複数本設けられた担架において、ベルトが本体部に可動自在に固定されていることを特徴とする。
【００１３】
請求項４の発明では、請求項３に記載のベルトの所定位置に設けられた突設片により、本体に設けられた固定部に係合されることを特徴とする。
【００１４】
請求項５の発明では、請求項４に記載の突設片が、ベルトの中央線を対称にベルト端部方向に向いていることを特徴とする。
【００１５】
請求項６の発明では、請求項３乃至５に記載のベルトの両端部に把手を設けることを特徴とする。  
【発明の効果】
【００１６】
以上説明したように、請求項１の発明に記載の任意形態保持具は、可撓性、気密性を有する外皮とその内部全体に均一に内装され複数の区画に分割された減圧室と、減圧室間に部分的に設けた加圧室からなることで、減圧の際には、減圧室を大気圧以下に減圧して減圧室に接する物体の形態に合わせて減圧室が剛体化することにより物体が動かないように固定すると共に、その間に設けられた加圧室が併設することで、減圧室が収縮し過ぎて発生する空所を加圧により膨張する加圧室が充填することで、物体に密着すると共に押さえつけ過ぎることもないので、物体を傷めることがない。
【００１７】
請求項２の発明では、請求項１に記載の任意形態保持具の減圧室を少なくとも上下２層以上とすることで、減圧室が上下で均等に分散し物体に密着し易くなって、より物体を強過ぎない力で確実に固定することができる。
【００１８】
請求項３の発明では、請求項１又は２に記載の任意形態保持具を本体とし、本体を巻き付けるように身体を固定するベルトが複数本設けられた担架において、ベルトが本体部に可動自在に固定されていることによって、従来のように本体から分離したベルトでは、別に持ち運ばねばならず、紛失したり持参し忘れたりする場合もあった。その他、本体にベルトが縫いつけらている場合では、汚れたり劣化したりした時には交換が面倒であったが、本発明品では、紛失したり持参し忘れたりすることもなく、交換も容易に行える。
【００１９】
請求項４の発明では、請求項３に記載のベルトの所定位置に設けられた突設片により、本体に設けられた固定部に係合されているので、金具等によって本体に固定されるものに比べて、少しでも軽量にしたい担架を金具によって重くすることもなく、金具が破損することもないので、緊急時に使用できなくなることも減少する。
【００２０】
請求項５の発明では、請求項４に記載の突設片が、ベルトの中央線を対称にベルト端部方向に向いているので、ベルトを引っ張ることでベルトの突設片が本体に設けられた固定片により強固に係合する。
【００２１】
請求項６の発明では、請求項３乃至５に記載のベルトの両端部に把手を設けることで、従来品では本体に把手を別に取り付けていたため、担架が重くなる、折り畳んだ際に邪魔になって小さく畳むことができない、本体に固定しているので局部的に荷重がかかった際に本体から破れて外れる等の問題があったが、本発明ではそれらを解決して軽量で小さく畳むことができると共に、本体の底部から全体を支えているベルトの両端を持つために破損し難いものである。
【図面の簡単な説明】
【００２２】
【図１】従来の任意形態保持具を用いた担架の斜視図である。
【図２】任意形態保持具を減圧した際の原理を示す模式図である。
【図３】任意形態保持具を加圧した際の原理を示す模式図である。
【図４】任意形態保持具に患者を寝かせた場合の概略図である。
【図５】任意形態保持具に患者を寝かせて巻き付けた場合の概略図である。
【図６】任意形態保持具の一例を示す模式図である。
【図７】任意形態保持具の他の例を示す模式図である。
【図８】任意形態保持具の一例を断面から見た模式図である。
【図９】任意形態保持具の他の例を断面から見た模式図である。
【図１０】任意形態保持具のさらに他の例を断面から見た模式図である。
【図１１】任意形態保持具のさらに他の例を断面から見た模式図である。
【図１２】任意形態保持具を用いた担架に患者を載せて巻き付けた場合の概略図である。
【図１３】担架に用いるベルトの概略図である。
【図１４】ベルトの突設片と固定部を示す概略図である。
【発明を実施するための形態】
【００２３】
以下、本発明の実施の形態について、図を参照して説明する。なお、本実施形態は一例に過ぎず、これに限定されるものではない。
【００２４】
図１は、従来の任意形態保持具を用いた担架の斜視図であるが、概略は本発明と共通するので、異なる部分と比較しながら説明する。本発明の差異点として本発明は、１）ベルト５は任意形態保持具の本体１に部分的に固定されている。２）把手６がベルト５と一体化されている。３）図示されていないが、本体１の内部が減圧室と加圧室からなる。その他については、図１の通り従来品と変わらない。  
【００２５】
図４は、本体１の上に患者を寝かせた状態を示しており。図５はそれを体に巻き付けた状態を示している。本体１は外皮１１と内部の減圧室１２と加圧室１３からなり、外皮１１は例えばＴＰＵ（熱可塑性ポリウレタン）、ＳＢＳ（スチレン系エラストマー）、TPO（オレフィン系エラストマー）、軟性ポリ塩化ビニール、ＥＶＡ（エチレンビニル共重合体）等からなる可撓性、気密性、強靭性を持つ素材で形成され、減圧室１２と加圧室１３は不織布から縫製等で細かい区画に分けられ作られている。
【００２６】
減圧室１２となる各区画内には、従来から用いられている無機、有機の微細な粒状物が適量充填されており、各減圧室１２は各部屋が連通していて１か所から全てに空気が流れるようになっており、図示しないが１か所のバルブから真空ポンプで排気されれば全ての減圧室１２が減圧される。一方、加圧室１３は減圧室１２とは通気的に独立しており、こちらも１か所のバルブから空気を注入して加圧するようになっている。
【００２７】
図５に示すように患者２に本体１を巻き付けた状態で、減圧室１２内の粒状物に体が密着した状態でバルブから排気して大気圧以下にすると、減圧室１２は収縮して粒状物は体に沿った形状で剛体化する。逆に空気を注入すると減圧室１２は膨張し剛体化した粒状物はさらさらの状態になる。
【００２８】
加圧室１３は減圧室１２同士の間に配置され、こちらは空気を注入して大気圧以上に加圧すれば加圧室１３を膨張させることになる。なお、加圧室１３は減圧室１２と空気系統を独立させる必要があり、例えば、可撓性、気密性を有する袋体等で形成し全ての加圧室１３を１か所のバルブに連通させる。
【００２９】
加圧室１３と減圧室１２の組み合わせにより、減圧室１２だけでは粒状物の偏りや全体が均等に減圧されない（バルブに近い所ほど減圧され易く、減圧により粒状物が剛体化すると空気が通り難くなって、離れた場所が減圧され難くなる。）等により、患者２との間に空所ができてしまうので、部分的に設けた加圧室１３でその空所を充填することで、骨折や脊髄損傷等で身体を動かせない場合も確実に固定して迅速に移動させることができる。
【００３０】
具体例を模式的に表したものを図６から図１０に示す。加圧室１３と減圧室１２を分かり易く表したもので、それぞれの数、大きさ、配置等は実際とは異なる場合がある。図６は各部屋を一列にしたもので、図７はさらに細かく部屋を区画したものである。粒状物の偏りを失くすためには、できるだけ部屋を細かく区画した方が良いが、作成が手間でありコストアップの原因にもなる。加圧室１３を配置する場所も工夫をする必要がある。なお、
これらの部屋は巻く方向の直角方向に部屋を連通させると巻き難くなるので、基本は図に示すような長手方向に連通するように配置する。
【００３１】
図８乃至図１１は断面から見たものであるが、単層だけのものよりは複層に重ねた方がより均一な配置となる。図９と図１０は何れも２層であるが、図９は単層を重ねたもの、図１０は中央の不織布を上下の層で兼用したもので、製造のし易さから見ると単層を重ねた方が簡単だが、厚みが増加するため薄くすることができない。一方、図１０の場合は、薄いものはできるが縫製する際に手縫でなければ製造し難く手間がかかる。
【００３２】
これらの模式図では減圧室１２を均等に並べているが、各部屋が同じ大きさであったり、隣接してつながっている必要はない。例えば、図１１に示すように減圧室１２が隣接しない形状のものが、２層上下でずらして矢印の方向に重ねても良い。この場合、加圧室１３は適宜所定の場所に配置すれば良い。また、加圧室１３は減圧室１２に固定する必要はなく袋状のものを空所のできる位置にその都度挿入しても良く、加圧室１３だけを１枚の不織布の所定の位置に固定して一つの層として配置しても良い。
【００３３】
図１２は、上記で説明した任意形態保持具を本体１として用いた担架Ａに患者２を載せて巻き付けた場合の概略図で断面からみたものである。概ねの形状は図１に近いもので、その差異点は前述している。本体１に配置される減圧室１２や加圧室１３は模式的に表している。減圧室１２は患者２の体に沿って減圧により体に密着して剛体化し体を固定する。十分に密着できず空所ができた部分については、加圧室１３が加圧により膨張して空所を埋めることで、より確実に患者２を固定するので、骨折や脊髄損傷の場合でも迅速に運ぶことができる。
【００３４】
担架Ａは、患者が落下しない様にベルト５で巻き付けるが、本発明の担架Ａではベルト５の端部は持ち運びができるように把手５２が設けられている。把手５２は、ベルト端部を折り返して輪ができるように縫い付けただけでも良く、必要であれば運搬時に取外し可能な把手を輪に引っ掛ければ良い。なお、全てのベルト５に把手５２を設ける必要はない。このように、把手５２を兼用することで別途把手を設ける必要がなく、少しでも担架Ａが軽量化できるので、過酷な現場でも運搬の負担が軽くなり、小さく折り畳むことができる。
【００３５】
ベルト５は本体１の所定箇所（本実施形態では底部２か所と側面上部の２か所の計４か所設けられている）に設けた固定部（ベルト通し）１４に通して本体部に可動自在に固定されているので、従来のような本体から分離したベルトとは違って、別に持ち運ぶ必要がなく、紛失したり持参し忘れたりすることもない。また、本体にベルトが縫いつけられている場合では、汚れたり劣化したりした時には交換が面倒であったが、本発明品では、交換も容易に行える。
【００３６】
ベルト５の材質は、ポリエステル、ポリエチレン、アラミド、ポリプロピレン、ナイロン等強靭な繊維からなるので、大柄の患者や重量物を運ぶ場合や、岩角等にぶつける等した場合でもベルト５が切れるおそれは少なくなる。
【００３７】
図１３に示すように、ベルト５は所定位置に突設片５１が設けられている、突設片５１はベルト５と同じ材質で作られており、本体１の固定部１４に通す場合は容易に通すことができ、その後固定部に係合されるので、金具等によって本体に固定されるものに比べて、少しでも軽量化でき、金具が破損することもないので、緊急時に使用できなくなることもおそれも減少する。
【００３８】
また、突設片５１は、ベルトの中央線を対称にそれぞれベルト端部方向に向いているので、本体１にベルト５を固定した後、担架を持ち上げるとベルト５を両方から引っ張ることになり、図１４に示すように、ベルト５の突設片５１が本体に設けられた固定片１４により強固に係合することになり、このような構造を用いたベルトがそのまま把手を兼用することにより安全かつ確実に患者を運ぶことができる。
【産業上の利用可能性】
【００３９】
本発明による任意形態保持具及びこれ用いた担架によれば、患者を固定した状態で安全に運ぶことができるので担架として有用であり、また、患部を固定できるギプスや精密機械等の物体の運搬としても有用である。
【符号の説明】
【００４０】
Ａ．担架
１  任意形態保持具（本体）
１２．減圧室
１３．加圧室  
１４．固定部
２．身体（患者、物体）
５．ベルト  
５１．突設片  
５２．把手  
８．前後連結部    
【図１】
2018175318.tif 000003
【図２】
2018175318.tif 000004
【図３】
2018175318.tif 000005
【図４】
2018175318.tif 000006
【図５】
2018175318.tif 000007
【図６】
2018175318.tif 000008
【図７】
2018175318.tif 000009
【図８】
2018175318.tif 000010
【図９】
2018175318.tif 000011
【図１０】
2018175318.tif 000012
【図１１】
2018175318.tif 000013
【図１２】
2018175318.tif 000014
【図１３】
2018175318.tif 000015
【図１４】
2018175318.tif 000016